(57)【要約】【課題】多層ディスクに録画を行う際に、重要な場面で録画映像に途切れが発生するのを回避できるディスク装置を提供する。【解決手段】２層ディスクの第１層に番組映像Ｘを記録している間、当該第１層の残り容量を算出し、算出された残り容量が所定値未満になったか否かを判定する。残り容量が所定値未満になった場合は、記録する映像がコマーシャル映像Ｙか否かを判定し、コマーシャル映像Ｙであれば、第１層での記録を停止して第２層での記録に切り替える。【選択図】図５
2010205357.tif 000002
【特許請求の範囲】
【請求項１】
複数の記録層を有する多層ディスクに対して情報を記録するディスク装置において、
前記多層ディスクに番組映像を記録するための記録手段と、
前記記録手段が前記多層ディスクの第１層に番組映像を記録している間、当該第１層の残り容量を算出する算出手段と、
前記算出手段により算出された第１層の残り容量が所定値未満になったか否かを判定する第１の判定手段と、
前記第１の判定手段により第１層の残り容量が所定値未満になったと判定された場合に、記録する映像が番組外映像であるか否かを判定する第２の判定手段と、
前記第２の判定手段により番組外映像であると判定された場合に、第１層での記録を停止して第２層での記録に切り替える切替手段と、
を備えたことを特徴とするディスク装置。
【請求項２】
請求項１に記載のディスク装置において、
前記第２の判定手段により番組外映像であると判定された場合に、前記第１層の残り容量に相当する時間内で更なる番組外映像があるか否かを判定する第３の判定手段を備え、
前記第３の判定手段により、更なる番組外映像が有と判定された場合は、当該番組外映像が検出されるまで第１層の記録を継続し、
前記第３の判定手段により、更なる番組外映像が無と判定された場合は、前記切替手段が、第１層での記録を停止して第２層での記録に切り替えることを特徴とするディスク装置。
【請求項３】
請求項１または請求項２に記載のディスク装置において、
前記第１の判定手段により第１層の残り容量が所定値未満になったと判定された場合に、前記第１層の残り容量に相当する時間内で番組が完結するか否かを判定する第４の判定手段を備え、
前記第４の判定手段により、前記時間内で番組が完結すると判定された場合は、当該番組の終了まで第１層の記録を継続し、
前記第４の判定手段により、前記時間内で番組が完結しないと判定された場合は、前記第２の判定手段による判定に移ることを特徴とするディスク装置。
【請求項４】
請求項１ないし請求項３のいずれかに記載のディスク装置において、
前記番組外映像がコマーシャル映像であることを特徴とするディスク装置。
【発明の詳細な説明】
【技術分野】
【０００１】
本発明は、複数の記録層を有する多層ディスクに対して情報を記録するディスク装置に関する。
【背景技術】
【０００２】
ＤＶＤ（Digital  Versatile  Disc）やＢＤ（Blu-ray（登録商標）Disc）のような光ディスクには、複数の記録層が設けられているものがある。このような多層ディスクは、記録層が１層である通常のディスクに比べて記録容量が大きいため、長時間のテレビ番組などを録画するのに適している。下記の特許文献１〜３には、多層ディスクを取り扱うディスク装置が記載されている。
【先行技術文献】
【特許文献】
【０００３】
【特許文献１】特開２００８−２７６８８８号公報
【特許文献２】特開２００４−１７１６６７号公報
【特許文献３】再表２００６／０８８０９２号公報
【発明の概要】
【発明が解決しようとする課題】
【０００４】
例えば、２層ＤＶＤの場合、記録時には、第１層にレーザ光を照射して情報を記録してゆき、第１層における記録が終了すると、光ピックアップをディスクの厚み方向へ移動させて第２層にレーザ光の焦点を合わせ、記録層を第１層から第２層に切り替えて記録動作を継続する。
【０００５】
しかしながら、放送中のテレビ番組をダイレクトに２層ＤＶＤに録画する場合、記録層が切り替わる際に、録画される映像が少し途切れるという現象が生じる。これは、ディスク情報の更新処理に起因している。すなわち、ディスクの内周側から外周側へ情報を記録してゆく場合、記録が終了すると、光ピックアップはディスクの内周へジャンプし、内周に設けられているディスク情報記録エリアの情報を更新する。具体的には、第１層のどの位置まで情報を記録したかを示すアドレス情報等をディスク情報記録エリアの所定領域に書き込む。そして、この更新処理が終わると、光ピックアップは第２層に焦点を合わせるべくディスクの厚み方向へ移動して、第２層での記録を開始する。このため、ディスク情報の更新処理に際して、光ピックアップが外周から内周へ移動する時間が必要であり、この間はディスクへの記録ができないため、番組の重要な場面で録画映像に途切れが生じることがあった。
【０００６】
本発明は、上述した問題点に鑑み、多層ディスクに録画を行う際に、重要な場面で録画映像に途切れが発生するのを回避できるディスク装置を提供することを目的としている。
【課題を解決するための手段】
【０００７】
本発明に係るディスク装置は、複数の記録層を有する多層ディスクに対して情報を記録するディスク装置であって、多層ディスクに番組映像を記録するための記録手段と、この記録手段が多層ディスクの第１層に番組映像を記録している間、第１層の残り容量を算出する算出手段と、この算出手段により算出された第１層の残り容量が所定値未満になったか否かを判定する第１の判定手段と、この第１の判定手段により第１層の残り容量が所定値未満になったと判定された場合に、記録する映像が番組外映像であるか否かを判定する第２の判定手段と、この第２の判定手段により番組外映像であると判定された場合に、第１層での記録を停止して第２層での記録に切り替える切替手段とを備えている。
【０００８】
このように構成したことで、第１層の残り容量が所定値未満となり、かつ映像が番組外映像である場合に、第１層での記録が停止されて第２層での記録に切り替えられるので、層切替時に映像の途切れが発生したとしても、その途切れは番組外映像で発生し、番組映像では発生しないので、重要な場面で録画映像に途切れが発生するのを回避することができる。
【０００９】
本発明では、第２の判定手段により番組外映像であると判定された場合に、第１層の残り容量に相当する時間内で更なる番組外映像があるか否かを判定する第３の判定手段を備えていてもよい。この場合は、第３の判定手段により、更なる番組外映像が有と判定されれば、当該番組外映像が検出されるまで第１層の記録を継続する。また、第３の判定手段により、更なる番組外映像が無と判定されれば、切替手段が、第１層での記録を停止して第２層での記録に切り替える。
【００１０】
これによると、第１層の残り容量が所定値未満となり、かつ映像が番組外映像である場合でも、第１層の残り容量内で次の番組外映像がある場合は、第２層への切り替えを行わずに第１層の記録を継続するので、第１層の残り容量を有効に利用することができる。
【００１１】
また、本発明では、第１の判定手段により第１層の残り容量が所定値未満になったと判定された場合に、第１層の残り容量に相当する時間内で番組が完結するか否かを判定する第４の判定手段を備えていてもよい。この場合は、第４の判定手段により、時間内で番組が完結すると判定されれば、当該番組の終了まで第１層の記録を継続し、第４の判定手段により、時間内で番組が完結しないと判定されれば、第２の判定手段による判定に移る。
【００１２】
これによると、第１層の残り容量が所定値未満となり、かつ映像が番組外映像である場合でも、第１層の残り容量内で番組が完結する場合は、第２層への切り替えを行わずに第１層の記録を継続するので、第１層の残り容量を有効に利用することができる。
【００１３】
本発明における番組外映像は、典型的にはコマーシャル映像である。この場合、第１層から第２層への切替時に映像の途切れが発生しても、その途切れは、コマーシャル映像中の途切れであるため、番組映像には影響しない。
【発明の効果】
【００１４】
本発明によれば、多層ディスクに録画を行う際に、層切替時に映像の途切れが発生したとしても、その途切れはコマーシャル映像のような番組外映像において発生し、番組映像では発生しないので、重要な場面で録画映像に途切れが発生するのを回避することができる。
【図面の簡単な説明】
【００１５】
【図１】本発明の実施形態に係るディスク装置のブロック図である。
【図２】ディスク装置の記録動作を示したフローチャートである。
【図３】２層ディスクの断面図である。
【図４】コマーシャル映像の検出を説明するための図である。
【図５】層切替の動作を説明するためのタイムチャートである。
【図６】他の実施形態による記録動作を示したフローチャートである。
【図７】放送信号に含まれる番組情報の例を示した図である。
【図８】層切替の動作を説明するためのタイムチャートである。
【図９】他の実施形態による記録動作を示したフローチャートである。
【図１０】層切替の動作を説明するためのタイムチャートである。
【図１１】層切替の動作を説明するためのタイムチャートである。
【発明を実施するための形態】
【００１６】
以下、本発明に係るディスク装置の実施形態につき、図面を参照しながら説明する。
【００１７】
図１において、光ディスク１は２層ＤＶＤであり、図３に示すように、第１層１ａと第２層１ｂとを備えている。この光ディスク１は、ディスク装置１００のディスクトレイ（図示省略）にセットされ、スピンドルモータ２により駆動されて回転する。光ピックアップ３は、光ディスク１の記録層にレーザ光を照射して情報を記録し、また、記録層に記録されている情報を読み取る。受光アンプ４は、再生時に、光ピックアップ３が読み取った信号を増幅して出力する。レーザ駆動部５は、記録時に、光ピックアップ３へレーザ駆動信号を出力し、光ピックアップ３に備わるレーザダイオードを駆動する。
【００１８】
信号処理部６は、受光アンプ４から入力された信号に基づいて、再生信号（映像信号および音声信号）を生成するとともに、放送信号や外部機器から入力される信号に基づいて、記録信号（映像信号および音声信号）を生成する。また、信号処理部６は、受光アンプ４から入力された信号に基づいて、フォーカスエラーやトラッキングエラーを検出する。信号処理部６には、復調回路、エンコーダ、バッファメモリ、Ａ／Ｄコンバータ、Ｄ／Ａコンバータ、ＯＳＤ（On Screen Display）処理部、フォーカスエラー検出回路、トラッキングエラー検出回路等が備わっている。
【００１９】
映像出力部７は、信号処理部６から出力される映像信号に対して、画質調整や表示サイズ調整等の処理を行って、外部のモニタへ出力する。音声出力部８は、信号処理部６から出力される音声信号に対して、増幅やフィルタリング等の処理を行って、外部のスピーカへ出力する。モニタやスピーカは、例えば液晶テレビに設けられている。チューナ９は、アンテナで受信されたテレビ放送局からのデジタル放送信号に対して選局を行い、選局されたチャンネルに対応した放送信号を抽出して、信号処理部６へ出力する。
【００２０】
制御部１０は、マイクロコンピュータから構成されており、ディスク装置１００の動作を制御する。サーボ回路１１は、信号処理部６で検出されたフォーカスエラーとトラッキングエラーの各信号に基づいて、光ピックアップ３に対し、フォーカス制御とトラッキング制御を行う。モータ駆動部１２は、制御部１０からの指令に基づき、スピンドルモータ２へモータ駆動信号を出力する。外部インターフェイス１３には、デジタルカメラのような映像機器が外部機器として接続される。メモリ１４は、ＲＯＭ、ＲＡＭ、フラッシュメモリ等から構成される。
【００２１】
リモコン受信部１５は、フォトダイオード等を含む受光部を備えており、リモコン１８から送信された赤外線信号を受信する。操作部１６は、ディスク装置１００のフロントパネルに設けられた各種の操作ボタンから構成される。表示部１７は、ディスク装置１００のフロントパネルに設けられたＶＦＤ（Vacuum Fluorescent Display：蛍光表示管）やＬＥＤ（Light Emitting Diode）ランプから構成される。リモコン１８は、ディスク装置１００に各種動作を実行させるための操作ボタンを備えている。
【００２２】
以上の構成において、光ピックアップ３およびレーザ駆動部５は、本発明における記録手段の一実施形態を構成し、制御部１０は、本発明における算出手段および第１〜第４の判定手段の一実施形態を構成する。また、制御部１０およびサーボ回路１１は、本発明における切替手段の一実施形態を構成する。
【００２３】
次に、上述したディスク装置１００において、光ディスク１にテレビ番組を直接録画する場合の動作につき、図２のフローチャートを参照しながら説明する。本フローチャートの各ステップは、制御部１０を構成するマイクロコンピュータにより実行される。
【００２４】
ディスク装置１００に光ディスク１がセットされ、リモコン１８でテレビ番組の録画の操作が行われると、ステップＳ１において、光ディスク１の第１層１ａへの記録が開始される。すなわち、チューナ９で選局された放送信号が信号処理部６で処理され、信号処理部６から出力される記録信号に基づいて、レーザ駆動部５および光ピックアップ３により、光ディスク１の第１層１ａへテレビ番組の映像・音声が記録される。この場合、ディスクの内周側から外周側に向けて記録が行われる。
【００２５】
この記録中に、ステップＳ２において、第１層１ａの残り容量が算出される。残り容量は、光ディスク１の当初の空き容量から録画済みの容量を減算した値である。続いて、ステップＳ３において、算出した残り容量が所定値未満か否かが判定される。この所定値は、メモリ１４にあらかじめ記憶されている。例えば、第１層１ａの記録可能容量が４．７ＧＢであれば、上記所定値として０．７ＧＢが設定される。但し、この値は一例であって、これ以外の値であってもよいことは言うまでもない。
【００２６】
ステップＳ３での判定の結果、第１層１ａの残り容量が所定値未満でなければ（ステップＳ３：ＮＯ）、ステップＳ２へ戻って、第１層１ａへの記録と残り容量の算出を継続し、第１層１ａの残り容量が所定値未満になると（ステップＳ３：ＹＥＳ）、ステップＳ４へ移る。
【００２７】
ステップＳ４では、コマーシャル（以下、「ＣＭ」と記す）の放映中か否かが判定される。放送信号からＣＭを検出するには、いくつかの方法がある。例えば、図４に示すように、番組映像（番組本編の映像）ＸとＣＭ映像Ｙとの間には、一定時間以上の無音区間Ｚが存在するので、この無音区間Ｚを検出することで、ＣＭの放映有無を判定することができる。また、他の方法として、放送信号に含まれているＣＭの開始時刻と終了時刻の情報を用いて、ＣＭ放映の有無を判定してもよい。その他、番組本編の音声がモノラルでＣＭの音声がステレオの場合、音声信号の種類によってＣＭか否かを判定することもできる。
【００２８】
ステップＳ４において、ＣＭ放映中ではないと判定された場合は（ステップＳ４：ＮＯ）、ステップＳ２へ戻って、第１層１ａへの記録と残り容量の算出を継続する。そして、ＣＭ放映時間になってＣＭが放映されると（ステップＳ４：ＹＥＳ）、ステップＳ５へ移る。
【００２９】
ステップＳ５では、第１層１ａへの記録を停止して、記録層を第１層１ａから第２層１ｂへ切り替える。すなわち、光ピックアップ３は、制御部１０からの指令に基づくサーボ回路１１の制御の下で、ディスク内周側へ移動して前述のディスク情報記録エリアに情報を書き込み、その後、第２層１ｂへ焦点を合わせるべく厚み方向へ移動する。
【００３０】
続いて、ステップＳ６において、切り替えが完了したか否か、すなわち、光ピックアップ３の第２層１ｂへの焦点合せが完了したか否かを、フォーカスエラー信号に基づいて判定し、切り替えが完了してなければ（ステップＳ６：ＮＯ）、ステップＳ５へ戻って切替動作を継続し、切り替えが完了すれば（ステップＳ６：ＹＥＳ）、ステップＳ７へ移って、第２層１ｂへの記録を開始する。そして、ステップＳ８で、第２層１ｂの記録が終了したか否かを判定し、記録が終了してなければ（ステップＳ８：ＮＯ）、記録を継続し、記録が終了すると（ステップＳ８：ＹＥＳ）、一連の動作を終える。
【００３１】
図５は、上述した実施形態における記録層の切り替えを説明するタイムチャートである。第１層の残り容量が所定値未満になると、ＣＭ放映時に記録層が第１層から第２層へ切り替えられる。ここで、ＣＭが放映されている時間Ｔは１５秒またはその倍数とされており、光ピックアップ３の切り替えに要する時間ｔは、１５秒あれば十分である。そして、この切替時間ｔの間に、光ピックアップ３の移動により記録映像に途切れが発生したとしても、その途切れはＣＭ映像Ｙで発生し、番組映像Ｘでは発生しない。したがって、番組の重要な場面で録画映像に途切れが発生するのを回避することができる。
【００３２】
次に、本発明の他の実施形態による録画動作につき、図６のフローチャートを参照しながら説明する。本フローチャートの各ステップは、制御部１０を構成するマイクロコンピュータにより実行される。なお、図６において、図２と同一の処理を実行するステップには、図２と同一の符号を付してある。
【００３３】
ステップＳ１〜Ｓ４の処理は、図２のステップＳ１〜Ｓ４の処理と同じであるので、簡単に説明する。ディスク装置１００に光ディスク１がセットされ、リモコン１８でテレビ番組の録画の操作が行われると、ステップＳ１で光ディスク１の第１層１ａへの記録が開始される。この記録中に、ステップＳ２において、第１層１ａの残り容量が算出される。続いて、ステップＳ３において、算出した残り容量が所定値未満か否かが判定される。第１層１ａの残り容量が所定値未満でなければ（ステップＳ３：ＮＯ）、ステップＳ２へ戻って、第１層１ａへの記録と残り容量の算出を継続し、第１層１ａの残り容量が所定値未満になると（ステップＳ３：ＹＥＳ）、ステップＳ４へ移って、ＣＭ放映中か否かが判定される。
【００３４】
ステップＳ４において、ＣＭ放映中ではないと判定された場合は（ステップＳ４：ＮＯ）、ステップＳ２へ戻って、第１層１ａへの記録と残り容量の算出を継続する。そして、ＣＭ放映時間になってＣＭが放映されると（ステップＳ４：ＹＥＳ）、ステップＳ４ａへ移る。
【００３５】
ステップＳ４ａでは、第１層１ａの残り容量内で、更なるＣＭ放映があるか否かを判定する。この判定は、デジタル放送信号に含まれる番組情報に基づいて行う。図７は、番組情報の一例を示している。番組情報には、番組名、放送時間（開始時刻および終了時刻）、付加情報（あらすじや出演者等）、ＣＭ情報（開始時刻および終了時刻）が含まれている。したがって、ＣＭ情報における次のＣＭの開始時刻・終了時刻を参照することによって、第１層１ａの残り容量に相当する時間内にＣＭ放映があるか否かがわかる。なお、番組情報は、番組の最初に取得され、メモリ１４に格納される。
【００３６】
ステップＳ４ａでの判定の結果、第１層１ａの残り容量内でＣＭ放映がある場合は（ステップＳ４ａ：ＹＥＳ）、ステップＳ９へ移って、そのまま第１層１ａの記録を継続する。また、ステップＳ１０で、第１層１ａの残り容量を算出する。次に、ステップＳ１１で当該ＣＭが検出されたか否かを判定し、検出されてなければ（ステップＳ１１：ＮＯ）、ステップＳ９へ戻って、第１層１ａの記録を継続し、ステップＳ１０で第１層１ａの残り容量を算出する。そして、当該ＣＭが検出されると（ステップＳ１１：ＹＥＳ）、ステップＳ４ａへ移り、第１層１ａの残り容量内でさらに次のＣＭ放映があるか否かを判定する。次のＣＭ放映がある場合は（ステップＳ４ａ：ＹＥＳ）、上述したステップＳ９〜Ｓ１１の処理を実行し、次のＣＭ放映がない場合は（ステップＳ４ａ：ＮＯ）、ステップＳ５へ移る。
【００３７】
ステップＳ５〜Ｓ８の処理は、図２のステップＳ５〜Ｓ８の処理と同じであるので、簡単に説明する。ステップＳ５では、第１層１ａへの記録を停止して、記録層を第１層１ａから第２層１ｂへ切り替える。そして、ステップＳ６において、切り替えが完了したか否かを判定し、切り替えが完了してなければ（ステップＳ６：ＮＯ）、ステップＳ５へ戻って切替動作を継続し、切り替えが完了すれば（ステップＳ６：ＹＥＳ）、ステップＳ７へ移って、第２層１ｂへの記録を開始する。その後、ステップＳ８で、第２層１ｂの記録が終了したか否かを判定し、記録が終了してなければ（ステップＳ８：ＮＯ）、記録を継続し、記録が終了すると（ステップＳ８：ＹＥＳ）、一連の動作を終える。
【００３８】
図８は、上述した実施形態における記録層の切り替えを説明するタイムチャートである。ここでは、第１層の残り容量が所定値未満になった後、第１層の残り容量が０になるまでの間に、２回のＣＭ放映が予定されている。この場合は、最初のＣＭが検出された時点ｔａでは、第１層から第２層への切り替えを行わず、２回目（最後）のＣＭ放映が検出された時点ｔｂで、第１層から第２層への切り替えを行う。そして、第２層へ番組の続きを録画する。このようにすれば、図５の場合と同様に番組映像Ｘにおける映像の途切れを回避できることに加え、ｔａ〜ｔｂの間は第１層への記録が継続されるので、第１層の残り容量を有効に利用することができる。
【００３９】
次に、本発明のさらに他の実施形態による録画動作につき、図９のフローチャートを参照しながら説明する。本フローチャートの各ステップは、制御部１０を構成するマイクロコンピュータにより実行される。なお、図９において、図２と同一の処理を実行するステップには、図２と同一の符号を付してある。
【００４０】
ステップＳ１〜Ｓ３の処理は、図２のステップＳ１〜Ｓ３の処理と同じであるので、簡単に説明する。
【００４１】
ディスク装置１００に光ディスク１がセットされ、リモコン１８でテレビ番組の録画の操作が行われると、ステップＳ１で光ディスク１の第１層１ａへの記録が開始される。この記録中に、ステップＳ２において、第１層１ａの残り容量が算出される。続いて、ステップＳ３において、算出した残り容量が所定値未満か否かが判定される。第１層１ａの残り容量が所定値未満でなければ（ステップＳ３：ＮＯ）、ステップＳ２へ戻って、第１層１ａへの記録と残り容量の算出を継続し、第１層１ａの残り容量が所定値未満になると（ステップＳ３：ＹＥＳ）、ステップＳ３ａへ移る。
【００４２】
ステップＳ３ａでは、第１層１ａの残り容量内で、番組が完結するか否かを判定する。この判定は、図７に示した番組情報に基づいて行う。番組情報中の放送時間には、当該番組の開始時刻と終了時刻が含まれているので、終了時刻を参照することによって、第１層１ａの残り容量に相当する時間内に番組が完結するか否かがわかる。
【００４３】
ステップＳ３ａでの判定の結果、第１層１ａの残り容量内で番組が完結する場合は（ステップＳ３ａ：ＹＥＳ）、ステップＳ１２へ移って、そのまま第１層１ａの記録を継続する。また、ステップＳ１３で、番組が終了したか否かを判定する。番組が終了してなければ（ステップＳ１３：ＮＯ）、ステップＳ１２へ戻って、第１層１ａの記録を継続する。そして、番組が終了すると（ステップＳ１３：ＹＥＳ）、ステップＳ５へ移る。
【００４４】
一方、ステップＳ３ａでの判定の結果、第１層１ａの残り容量内で番組が完結しない場合は（ステップＳ３ａ：ＮＯ）、ステップＳ４へ移って、ＣＭ放映中か否かを判定する。ＣＭ放映中ではないと判定された場合は（ステップＳ４：ＮＯ）、ステップＳ２へ戻って、第１層１ａへの記録と残り容量の算出を継続する。そして、ＣＭ放映時間になってＣＭが放映されると（ステップＳ４：ＹＥＳ）、ステップＳ５へ移る。
【００４５】
ステップＳ５〜Ｓ８の処理は、図２のステップＳ５〜Ｓ８の処理と同じであるので、簡単に説明する。ステップＳ５では、第１層１ａへの記録を停止して、記録層を第１層１ａから第２層１ｂへ切り替える。そして、ステップＳ６において、切り替えが完了したか否かを判定し、切り替えが完了してなければ（ステップＳ６：ＮＯ）、ステップＳ５へ戻って切替動作を継続し、切り替えが完了すれば（ステップＳ６：ＹＥＳ）、ステップＳ７へ移って、第２層１ｂへの記録を開始する。その後、ステップＳ８で、第２層１ｂの記録が終了したか否かを判定し、記録が終了してなければ（ステップＳ８：ＮＯ）、記録を継続し、記録が終了すると（ステップＳ８：ＹＥＳ）、一連の動作を終える。
【００４６】
図１０および図１１は、上述した実施形態における記録層の切り替えを説明するタイムチャートである。図１０は、第１層の残り容量が所定値未満になった後、第１層の残り容量が０になるまでの間に、番組＃１が完結する場合を表している。この場合は、第１層の残り容量が所定値未満になった後、ＣＭ放映があっても、第１層から第２層への切り替えを行わず、番組＃１が完結するのを待って、第１層から第２層への切り替えを行う。次の番組＃２は、第２層に録画される。このようにすれば、２つの番組＃１、＃２にまたがって録画を行う場合に、最初の番組＃１が終了するまで第１層への記録が継続されるので、第１層の残り容量を有効に利用することができる。また、層切替時には番組＃１が終了しているので、映像の途切れも問題にならない。
【００４７】
図１１は、第１層の残り容量が所定値未満になった後、第１層の残り容量が０になるまでの間に、番組＃１が完結しない場合を表している。この場合は、図５と同様に、第１層の残り容量が所定値未満になった後、ＣＭ放映があった時点で、第１層から第２層への切り替えを行う。この層切替時には、ＣＭが放映されているので、映像の途切れがあっても問題にならない。第２層へ切り替わった後は、第２層へ番組＃１の続きと、次の番組＃２を録画する。
【００４８】
なお、図１１において、第１層の残り容量が所定値未満になった後、第１層の残り容量が０になるまでの間に、複数回のＣＭ放映の予定がある場合は、図８と同様の考え方に基づき、最後以外のＣＭ放映時には第１層から第２層への切り替えを行わず、最後のＣＭ放映時に第１層から第２層への切り替えを行うようにしてもよい。これにより、第１層の残り容量を有効に利用することができる。
【００４９】
本発明では、以上述べた実施形態以外にも、種々の実施形態を採用することができる。例えば、上記実施形態では、番組外映像としてＣＭ映像を例に挙げたが、番組外映像は、ＣＭ映像だけに限らず、例えばお知らせや番組予告のような映像であってもよい。
【００５０】
また、上記実施形態では、光ディスクとしてＤＶＤを例に挙げたが、本発明は、ＢＤなどの他の光ディスクを取り扱うディスク装置にも適用することができる。
【００５１】
また、上記実施形態では、２層の記録層１ａ、１ｂを有する光ディスクを例に挙げたが、本発明は、３層またはそれ以上の記録層を有する光ディスクを取り扱うディスク装置にも適用することができる。
【００５２】
さらに、上記実施形態では、テレビ番組を直接光ディスクに録画する場合を例に挙げたが、テレビ番組を、映像や音声以外の全データも含めてハードディスクに一旦取り込み、ハードディスクから光ディスクへダビングを行うディスク装置にも、本発明を適用することができる。
【符号の説明】
【００５３】
１    光ディスク
１ａ  第１層
１ｂ  第２層
３    光ピックアップ
５    レーザ駆動部
６    信号処理部
１０  制御部
１１  サーボ回路
１００  ディスク装置
Ｘ  番組映像
Ｙ  コマーシャル映像
【図１】
2010205357.tif 000003
【図２】
2010205357.tif 000004
【図３】
2010205357.tif 000005
【図４】
2010205357.tif 000006
【図５】
2010205357.tif 000007
【図６】
2010205357.tif 000008
【図７】
2010205357.tif 000009
【図８】
2010205357.tif 000010
【図９】
2010205357.tif 000011
【図１０】
2010205357.tif 000012
【図１１】
2010205357.tif 000013